(57)【特許請求の範囲】
【請求項１】
サーバーの少なくとも１つの拡張スロットに差し込まれて機能を拡張するために用いられる、シェルと、本体と、伝動モジュールと、を備える拡張カードであって、
前記本体及び前記伝動モジュールは、前記シェルの内部に収容され、前記本体には、少なくとも１つのコネクターが設置され、前記シェルの前記コネクターに対応する箇所には、少なくとも１つのスロットが開設され、
前記伝動モジュールは、定位部材及び接続部材を備え、前記定位部材は、前記本体に固定され且つ定位軸を備え、前記接続部材は、頭部及び尾部を備え、前記頭部には、係合スロットが開設され、前記係合スロットは、前記定位軸を囲むように設けられ、前記尾部は、前記シェルの内部から突き出されており、前記尾部を移動させる場合、前記接続部材の頭部は、前記定位軸によって前記本体を連動して移動し、前記本体のコネクターは前記スロットから前記シェルの外部に突出するか又は前記シェルの内部に戻って、前記コネクターは前記拡張スロットに差し込まれるか又は前記拡張スロットから抜き出されることを特徴とする拡張カード。
【請求項２】
前記シェルは、上カバー及び下カバーを備え、前記上カバーは、頂板及び第一側板を備え、前記下カバーは、前記頂板に対面する底板、第二側板、第三側板及び前記第一側板に対向する第四側板を備え、前記第二側板及び前記第三側板は対向して設置され、前記第四側板は、前記第二側板と前記第三側板との間に接続され、前記スロットは、前記第二側板に開設されることを特徴とする請求項１に記載の拡張カード。
【請求項３】
前記伝動モジュールは、スライディングブロックをさらに備え、前記底板の前記第三側板に近く且つ前記第四側板から離れている箇所には、互いに平行する２つのスライドレールが設置され、前記スライドレールの延在方向は、前記第三側板に垂直の方向であり、前記第三側板には、第一貫通孔が開設され、前記スライディングブロックの前記第一貫通孔に対応する箇所には、突出ピンが設置され、前記スライディングブロックが前記スライドレールに沿ってスライドする際、前記突出ピンは前記第一貫通孔に差し込まれ、前記スライディングブロックには、第二貫通孔が開設され、前記接続部材の尾部には、前記第二貫通孔と同じ軸に位置する第三貫通孔が開設され、回転軸が前記第二貫通孔及び前記第三貫通孔に挿入されて、前記接続部材と前記スライディングブロックは運動可能に接続され、前記接続部材は、前記回転軸を支点として転動することを特徴とする請求項２に記載の拡張カード。
【請求項４】
前記スライディングブロックの前記底板に対面する表面における前記突出ピンから離れている側の端部には、凹部が開設され、前記接続部材の尾部の一部分は、前記凹部に収容されることを特徴とする請求項３に記載の拡張カード。
【請求項５】
前記スライドレールは、前記底板に固定される接続部及び前記接続部に直交し且つ別のスライドレールに向かって曲がる係合部を備え、前記スライディングブロックの２つの対向する側面には、突出部がそれぞれ設置され、前記突出部は、前記スライドレールの接続部と係合部との間に収容されて、前記スライディングブロックが前記スライドレール内でスライドするように構成されていることを特徴とする請求項３に記載の拡張カード。
【請求項６】
前記拡張カードは、フレームをさらに備え、前記フレームは、前記本体の前記コネクターが設置された側面以外の他の側面を囲み、前記フレームは、互いに平行する２つの固定アーム及び２つの前記固定アームの間に垂直に接続される接続アームを備え、２つの前記固定アームは、前記シェルの頂板及び底板に当接し、前記定位部材は、前記接続アームによって前記本体に固定されることを特徴とする請求項２に記載の拡張カード。
【請求項７】
前記底板には、少なくとも１つの位置限定板が設置され、前記本体が前記位置限定板に当接する場合、前記コネクターは前記拡張スロットから離されることを特徴とする請求項２に記載の拡張カード。
【請求項８】
前記定位部材は、定位フレームをさらに備え、前記定位フレームは、互いに平行する２つの第一板及び２つの前記第一板の間に垂直に接続される第二板を備え、前記第二板は前記本体に固定され、前記定位軸の対向する両端は、２つの前記第一板に固定され且つ前記第二板と互いに離間して設置され、前記底板に近い前記第一板は、前記接続部材の頭部を積載することを特徴とする請求項２に記載の拡張カード。
【請求項９】
前記伝動モジュールは、バックルをさらに備え、前記バックルは、前記接続部材の尾部に運動可能に設置され、前記シェルには、ロック部材が設置され、前記バックルは、前記ロック部材に引っ掛けて、前記本体を前記シェルの内部に固定することを特徴とする請求項１に記載の拡張カード。
【請求項１０】
前記伝動モジュールは、トーションバネをさらに備え、前記接続部材の尾部の頭部から離れる側の一端には、取っ手が設置され、前記バックルは、前記トーションバネによって前記取っ手に接続されることを特徴とする請求項９に記載の拡張カード。
【発明の詳細な説明】
【技術分野】
【０００１】
本発明は、拡張カードに関するものである。
【背景技術】
【０００２】
拡張カードはサーバーの拡張スロットに差し込まれて、機能を拡張するために用いられる。
【発明の概要】
【発明が解決しようとする課題】
【０００３】
しかし、拡張スロットがサーバーの側壁に設置され且つ拡張カードの差込方向と平行な場合、拡張カードを装着し難い。
【０００４】
本発明の目的は、前記課題を解決し、便利に装着することができる拡張カードを提供することである。
【課題を解決するための手段】
【０００５】
本発明に係る拡張カードは、サーバーの少なくとも１つの拡張スロットに差し込まれて機能を拡張するために用いられる、シェルと、本体と、伝動モジュールと、を備え、前記本体及び前記伝動モジュールは、前記シェルの内部に収容され、前記本体には、少なくとも１つのコネクターが設置され、前記シェルの前記コネクターに対応する箇所には、少なくとも１つのスロットが開設され、前記伝動モジュールは、定位部材及び接続部材を備え、前記定位部材は、前記本体に固定され且つ定位軸を備え、前記接続部材は、頭部及び尾部を備え、前記頭部には、係合スロットが開設され、前記係合スロットは、前記定位軸を囲むように設けられ、前記尾部は、前記シェルの内部から突き出されており、前記尾部を移動させる場合、前記接続部材の頭部は、前記定位軸によって前記本体を連動して移動し、前記本体のコネクターは前記スロットから前記シェルの外部に突出するか又は前記シェルの内部に戻って、前記コネクターは前記拡張スロットに差し込まれるか又は前記拡張スロットから抜き出される。
【発明の効果】
【０００６】
本発明の拡張カードは、前記伝動モジュールによって前記本体を連動して、前記コネクターが前記拡張スロットに差し込まれるか又は前記拡張スロットから抜き出されるように構成されているので、前記拡張カードを便利に装着するか取り外すことができる。
【図面の簡単な説明】
【０００７】
【図１】本発明の実施形態に係る拡張カード及びマザーボードの構造を示す図である。
【図２】図１に示す拡張カードの構造を示す図である。
【図３】図１に示す拡張カードの上カバーを取り外した後の分解図である。
【図４】図１に示す拡張カードの本体とフレームの分解図である。
【図５】図１に示す拡張カードの作動状態を示す図である。
【図６】図１に示す拡張カードの別の作動状態を示す図である。
【発明を実施するための形態】
【０００８】
以下、図面を参照して、本発明の実施形態について説明する。
【０００９】
図１及び図２を参照すると、本発明の実施形態に係る拡張カード１００は、サーバー２００に差し込まれる。前記サーバー２００は、マザーボード２１０及び前記マザーボード２１０に設置されるハウジング２２０を備える。前記ハウジング２２０は、前記拡張カード１００を収容するために用いられ、前記拡張カード１００の差込方向に平行な内壁２２１を備える。前記内壁２２１には、２つの拡張スロット２２２が設置される。前記拡張カード１００は、シェル１０、本体３０、フレーム５０及び伝動モジュール７０を備える。前記本体３０、前記フレーム５０及び前記伝動モジュール７０は、前記シェル１０の内部に収容される。
【００１０】
前記シェル１０は、略長方体状であり、上カバー１１及び下カバー１３を備える。前記上カバー１１及び前記下カバー１３が囲んで収容部を形成する。前記上カバー１１は、頂板１１１及び前記頂板１１１に直交する第一側板１１３を備える。前記第一側板１１３には、ロック部材１１５が設置される。本実施形態において、前記ロック部材１１５は、前記第一側板１１５に開設され且つ前記第一側板１１３を貫通する２つの開口１１６及び２つの前記開口１１６の対向する２つの側辺を接続する固定棒１１７からなる。
【００１１】
図３に示されたように、前記下カバー１３は、前記頂板１１１に対面する底板１３１と、前記底板１３１に直交する第二側板１３２、第三側板１３３及び第四側板１３４を備える。前記第二側板１３２と前記第三側板１３３とは互いに平行であり、前記第四側板１３４は、前記第二側板１３２と前記第三側板１３３との間に垂直に接続され且つ前記第一側板１３１に平行とする。前記第二側板１３２は、前記サーバー２００の内壁２２１に対面する。前記第二側板１３２には、２つの前記拡張スロット２２２に対応し且つ前記第二側板１３２を貫く２つのスロット１３２ａが開設される。前記底板１３１の前記第三側板１３３に近く且つ前記第四側板１３４から離れている箇所には、互いに平行する２つのスライドレール１３１ａが設置される。前記スライドレール１３１ａの延在方向は、前記第三側板１３３に垂直の方向である。前記スライドレール１３１ａは、Ｌ字状であり、前記底板１３１に固定される接続部１３１ｂ及び前記接続部１３１ｂに直交し且つ他の前記スライドレール１３１ａに向かって曲がる係合部１３１ｃを備える。前記第三側板１３３の前記底板１３１に近い位置には、第一貫通孔１３３ａが開設され、且つ前記第一貫通孔１３３ａの前記底板１３１に対する投影は、２つの前記スライドレール１３１ａの間に位置する。前記底板１３１には、前記第二側板１３２の延在方向に沿って同じ直線上に位置する２つの位置限定板１３５が設置される。２つの前記位置限定板１３５は前記第二側板１３２と協働して前記本体３０の運動範囲を限定する。前記位置限定板１３５の数は、本実施形態の２つに限定されるものではない。
【００１２】
前記本体３０は、略矩形状であり、２つの前記位置限定板１３５と前記第二側板１３２との間に収容される。前記本体３０の側面には、２つのコネクター３１が設置される。２つの前記コネクター３１は、２つの前記スロット１３２ａから突出して前記拡張スロット２２２に差し込まれる。
【００１３】
図４を参照すると、前記フレーム５０は、コ字状であり、前記本体３０の２つの前記コネクター３１が設置された側面以外の他の側面を囲む。前記フレーム５０は、互いに平行する２つの固定アーム５１及び２つの前記固定アーム５１の間に垂直に接続される接続アーム５３を備える。２つの前記固定アーム５１は、前記本体３０に螺合される。前記接続アーム５３の前記本体３０から離れている側の表面と前記コネクター３１の前記本体３０から離れている側の端面との間の距離は、前記位置限定板１３５と前記第二側板１３２との間の距離と同じである。２つの前記固定アーム５１は、全て前記頂板１１１及び前記底板１３１に当接して、前記本体３０が前記第二側板１３２に向かって安定にスライドして、２つの前記コネクター３１が２つの前記スロット１３２ａから突出するように構成されている。前記頂板１１１及び前記底板１３１に当接する２つの前記固定アーム５１の表面は、全て滑らかな表面であり、前記フレーム５０と前記頂板１１１及び前記底板１３１との間の摩擦力を減少する。
【００１４】
図２及び図３に示されたように、前記伝動モジュール７０は、スライディングブロック７１、定位部材７２、接続部材７３、バックル７４及びトーションバネ７５を備える。前記スライディングブロック７１は、略長方体状であり、その長手方向の両側には突出部７１１がそれぞれ設置される。前記スライディングブロック７１の突出部７１１は、前記スライドレール１３１ａの接続部１３１ｂと係合部１３１ｃとの間に収容されて、前記スライディングブロック７１が前記スライドレール１３１ａ内でスライドするように構成されている。前記スライディングブロック７１の前記第一貫通孔１３３ａに対応する位置には、突出ピン７１３が設置されて、前記スライディングブロック７１が前記スライドレール１３１ａ内でスライドする際、前記突出ピン７１３は前記第一貫通孔１３３ａに入り込むか又は前記第一貫通孔１３３ａから退避する。前記スライディングブロック７１は、互いに対向して設置される上表面７１５及び下表面７１６をさらに備える。前記下表面７１６の前記突出ピン７１３から離れている側の一端には、凹部７１６ａが設置される。前記スライディングブロック７１には、前記上表面７１５及び前記凹部７１６ａの底面を貫通する第二貫通孔７１７が開設される。
【００１５】
図２に示されたように、前記定位部材７２は定位フレーム７２１及び定位軸７２３を備える。前記定位フレーム７２１は、略コ字状であり、互いに平行する２つの第一板７２１ａ及び２つの前記第一板７２１の間に垂直に接続される第二板７２１ｂを備える。図４を一緒に参照すると、前記第二板７２１ｂは、前記接続アーム５３の前記本体３０から離れている側の表面に固定され且つ２つの前記位置限定板１３５の間に位置する。前記定位軸７２３の対向する両端は、２つの前記第一板７２１ａに固定され、且つ前記第二板７２１ｂと互いに離間している。前記定位部材７２は、前記スライディングブロック７１に比べて前記第四側板１３４に、より近い。
【００１６】
図３に示されたように、前記接続部材７３は、略Ｚ字状であり、頭部７３１と、尾部７３２と、前記頭部７３１と前記尾部７３２との間に垂直接続される頚部７３３と、を備える。前記頭部７３１と前記尾部７３３との間には高低差がある。前記接続部材７３の延在方向において、前記頭部７３１の長さは前記尾部７３２の長さよりも短い。前記頭部７３１の前記尾部７３２から離れている側の端部には、略Ｕ字状の係合スロット７３１ａが開設される。前記係合スロット７３１ａは、前記定位軸７２３を囲むように設けられる。前記底板１３１に近い前記第一板７２１ａは、前記頭部７３１を積載して、前記接続部材７３が前記定位軸７２３を囲んで転動するように構成されている。前記尾部７３２は、前記第一側板１１３に向かって且つ前記第三側板１３３に次第に近付くように延在し、前記尾部７３２の一部分は前記凹部７１６ａに収容される。前記尾部７３２には、前記第二貫通孔７１７と同じ軸に設置される第三貫通孔７３２ａが開設され、回転軸７１８が前記第二貫通孔７１７及び前記第三貫通孔７３２ａに挿し込まれて、前記接続部材７３と前記スライディングブロック７１を運動可能に接続し、前記接続部材７３は、前記回転軸７１８を支点として転動することができ、前記接続部材７３が運動する際、前記スライディングブロック７１を連動して前記スライドレール１３１ａ内でスライドさせることができる。前記尾部７３２の前記頭部７３１から離れている側の端部は、前記シェル１０の内部から外部に突き出されている。前記接続部材７３は、取っ手７３５をさらに備え、前記取っ手７３５は、前記尾部７３２の前記頭部７３１から離れている側の端部に固定される。
【００１７】
前記バックル７４は、ホック状であり、前記トーションバネ７５によって前記取っ手７３５に運動可能に接続される。前記バックル７４は、前記シェル１０の第一側板１１３の固定棒１１７に安定的に引っ掛けられる。
【００１８】
図５及び図６を参照して、前記拡張カード１００の使用過程について説明する。前記拡張カード１００を前記サーバー２００に差し込んで、前記本体３０の２つのコネクター３１を、２つの前記拡張スロット２２２に対向させ、前記取っ手７３５を前記第三側板１３３に向けて移動すると、前記スライディングブロック７１が前記接続部材７３に連動されて前記第三側板１３３に向かってスライドし、前記突出ピン７１３が前記第一貫通孔１３３ａに入り込み、且つ前記接続部材７３が前記定位軸７２３によって前記本体３０を推進することにより、前記本体３０は前記第二側板１３２に向かって移動し、前記本体３０の２つのコネクター３１は前記シェル１０の２つのスロット１３２ａから突出して２つの前記拡張スロット２２２に差し込まれ、前記バックル７４を前記シェル１０の第一側板１１３の固定棒１１７に安定的に引っ掛ける。前記拡張カード１００を取り出す場合、前記取っ手７３５を前記第二側板１３２に向けて移動すると、前記スライディングブロック７１が前記接続部材７３に連動されて前記第二側板１３２に向かってスライドし、前記突出ピン７１３が前記第一貫通孔１３３ａから退避し、且つ前記接続部材７３が前記定位軸７２３によって前記本体３０を引っ張ることにより、前記本体３０は前記第三側板１３３に向かって移動して、前記フレーム５０が２つの前記位置限定板１３５に当接し、前記本体３０の２つのコネクター３１は２つの前記拡張スロット２２２から退避して前記シェル１０の内部に戻り、従って前記拡張カード１００を前記サーバー２００から抜き出すことができる。
【００１９】
前記本体３０の２つのコネクター３１を２つの前記拡張スロット２２２に完全に差し込む場合、前記突出ピン７１３は前記第一貫通孔１３３ａに完全に入り込み、且つスライディングブロック７１の側壁は前記第三側板１３３に当接して、前記本体３０は前記シェル１０の内部に安定的に固定される。本実施形態において、前記回転軸７１８を支点として、てこの原理によって、前記接続部材７３は前記定位軸７２３によって前記本体３０を容易に推進することができる。他の実施形態において、前記スライディングブロック７１、前記スライドレール１３１ａ及び前記回転軸７１８を省略することもできる。
【００２０】
他の実施形態において、前記コネクター３１及び前記拡張スロット２２２の数は、本実施形態における２つに限定されるものではない。２つの前記位置限定板１３５も省略することができる。前記取っ手７３５も省略して、前記バックル７４を直接に前記接続部材７３の尾部７３２に設置することができる。
【００２１】
他の実施形態において、前記定位フレーム７２１は、前記本体３０に固定することができる。
【００２２】
他の実施形態において、前記コネクター３１を前記拡張スロット２２２に差し込む場合、前記コネクター３１と前記拡張スロット２２２との間には摩擦力があるので、前記コネクター３１は前記拡張スロット２２２から簡単には抜け易くないので、前記バックル７４及び前記ロック部材１１５も省略することができる。
【００２３】
他の実施形態において、前記シェル１０のロック部材１１５は、固定リングであってもよい。
【００２４】
本発明の拡張カードにおいて、前記伝動モジュールによって前記本体を連動して、前記コネクターが前記拡張スロットに差し込まれるか又は前記拡張スロットから抜き出されるように構成されるので、前記拡張カードを便利に装着することができる。
【００２５】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２６】
１０  シェル
１１  上カバー
１３  下カバー
３０  本体
３１  コネクター
５０  フレーム
５１  固定アーム
５３  接続アーム
７０  伝動モジュール
７１  スライディングブロック
７２  定位部材
７３  接続部材
７４  バックル
７５  トーションバネ
１００  拡張カード
１１１  頂板
１１３  第一側板
１１５  ロック部材
１１６  開口
１１７    固定棒
１３１    底板
１３１ａ  スライドレール
１３１ｂ  接続部
１３１ｃ  係合部
１３２  第二側板
１３２ａ  スロット
１３３  第三側板
１３３ａ  第一貫通孔
１３４  第四側板
１３５  位置限定板
２００  サーバー
２１０  マザーボード
２２０  ハウジング
２２１  内壁
２２２  拡張スロット
７１１  突出部
７１３  突出ピン
７１５  上表面
７１６  下表面
７１６ａ  凹部
７１７  第二貫通孔
７１８  回転軸
７２１  定位フレーム
７２１ａ  第一板
７２１ｂ  第二板
７２３  定位軸
７３１  頭部
７３１ａ  係合スロット
７３２  尾部
７３２ａ  第三貫通孔
７３３  頚部
７３５  取っ手
【図１】
0005406338.tif 000002
【図２】
0005406338.tif 000003
【図３】
0005406338.tif 000004
【図４】
0005406338.tif 000005
【図５】
0005406338.tif 000006
【図６】
0005406338.tif 000007